(57)【特許請求の範囲】
【請求項１】
複数の担当者による作業を経てチラシ・カタログ類を作成するためのシステムであって、
個々の担当者が操作する端末装置から、ネットワークを介したアクセスがあったときに、当該端末装置との間で情報のやりとりを行う交信部と、
チラシ・カタログ類の作成作業に必要な複数のアプリケーションプログラムを格納したアプリケーション格納部と、
前記アプリケーションプログラムの実行によって作成されるデータを、作業対象となるチラシ・カタログ類ごとに作業データとして格納する作業データ格納部と、
前記アプリケーション格納部内に格納されている複数のアプリケーションプログラムのうち、個々の担当者ごとにそれぞれ利用可能なアプリケーションプログラムを登録するアプリケーション登録部と、
特定の担当者からのアクセスがあったときに、前記アプリケーション登録部の登録内容を参照することにより、当該担当者が利用可能なアプリケーションプログラムを示すアプリケーションリストを作成し、当該担当者が操作する端末装置に対して、前記アプリケーションリストを提示していずれかのアプリケーションプログラムを選択させるアプリケーション選択部と、
特定の担当者からのアクセスがあったときに、前記作業データ格納部の格納内容を参照することにより、作業対象となりうるチラシ・カタログ類を示す作業対象リストを作成し、当該特定の担当者が操作する端末装置に対して、前記作業対象リストを提示していずれかの作業対象を選択させる作業対象選択部と、
特定の担当者が、前記アプリケーション選択部の機能により特定のアプリケーションプログラムを選択し、前記作業対象選択部の機能により特定の作業対象を選択したときに、選択されたアプリケーションプログラムを起動し、選択された作業対象に対する処理を当該特定の担当者が操作する端末装置と協働して実行し、得られた作業データを、選択された作業対象についての作業データとして前記作業データ格納部に格納するプログラム実行部と、
を備え、
前記作業データ格納部は、同一の作業対象について、１つのアプリケーションプログラムの実行によって作成された作業データが、別なアプリケーションプログラムの実行にも利用できるように、同一の作業対象について作成された作業データについて相互に関連をもたせて格納する機能を有し、
第１の担当者が、第１のアプリケーションプログラムを利用して、特定の作業対象となるチラシ・カタログ類についての特定の領域に関する作業を第２の担当者に割り当てる処理を行った場合に、プログラム実行部により、当該割当内容を示す作業データが作業データ格納部に格納されるようにし、
前記第２の担当者が、自己に割り当てられた作業を行うために第２のアプリケーションプログラムを選択し、これを実行した場合に、前記第２のアプリケーションプログラムが、前記割当内容を示す作業データを参照することにより、前記特定の領域に関する作業に必要な処理を選択的に実行する機能を有することを特徴とするチラシ・カタログ類の作成システム。
【請求項２】
請求項１に記載の作成システムにおいて、
交信部が、端末装置に対してＷｅｂページを表示するためのポータルサイトを構築する機能を有し、個々の担当者が前記ポータルサイトへのアクセスを通じて、アプリケーションプログラムの選択、作業対象の選択、選択された作業対象に対する処理の実行を行うことができるようにしたことを特徴とするチラシ・カタログ類の作成システム。
【請求項３】
請求項１または２に記載の作成システムにおいて、
第１の担当者が、第１のアプリケーションプログラムを利用して、特定の作業対象となるチラシ・カタログ類についての作業を第２の担当者に割り当てる処理を行った場合に、プログラム実行部により、当該割当内容を示す作業データが作業データ格納部に格納されるようにし、
前記第２の担当者が、自己に割り当てられた作業を行うために第２のアプリケーションプログラムを選択した場合に、作業対象選択部が、前記割当内容を示す作業データを参照することにより、前記第２の担当者に割り当てられている作業対象のみを抽出した作業対象リストを作成し、これを提示する機能を有することを特徴とするチラシ・カタログ類の作成システム。
【請求項４】
請求項１〜３のいずれかに記載の作成システムにおいて、
アプリケーション格納部に格納するアプリケーションプログラムとして、チラシ・カタログ類の新規企画を行うための新規企画用アプリケーションを用意し、アプリケーション選択部により前記新規企画用アプリケーションが選択された場合には、作業対象選択部による選択を行うことなしに、プログラム実行部により、前記新規企画用アプリケーションが起動されるようにしたことを特徴とするチラシ・カタログ類の作成システム。
【請求項５】
請求項１〜４のいずれかに記載の作成システムにおいて、
アプリケーション格納部に格納するアプリケーションプログラムとして、特定の作業対象となるチラシ・カタログ類についての特定の領域に関する作業を特定の担当者に割り当てる処理を行う領域割当用アプリケーションと、割り当てられた特定の領域に掲載すべき商品を選択する処理を行う商品選択用アプリケーションと、を用意することを特徴とするチラシ・カタログ類の作成システム。
【請求項６】
請求項１〜５のいずれかに記載の作成システムにおいて、
アプリケーション格納部に格納するアプリケーションプログラムとして、ネットワークを介して、特定の商品に関する撮影を依頼するメッセージを送信するための撮影依頼用アプリケーションを用意することを特徴とするチラシ・カタログ類の作成システム。
【請求項７】
請求項１〜６のいずれかに記載の作成システムにおいて、
アプリケーション格納部に格納するアプリケーションプログラムとして、作成されたチラシ・カタログ類のイメージ上に、ＰＯＳデータを入力するためのＰＯＳデータ入力用アプリケーションを用意することを特徴とするチラシ・カタログ類の作成システム。
【請求項８】
請求項１〜７のいずれかに記載の作成システムにおいて、
アプリケーション格納部に格納するアプリケーションプログラムとして、チラシ・カタログ類の作成作業の進捗状況を確認するための進捗確認用アプリケーションを用意することを特徴とするチラシ・カタログ類の作成システム。
【請求項９】
請求項８に記載の作成システムにおいて、
アプリケーション選択部により進捗確認用アプリケーションが選択された場合には、作業対象選択部により複数の作業対象の選択が可能になるようにし、前記進捗確認用アプリケーションの実行により、選択された複数の作業対象に係るチラシ・カタログ類の作成作業の進捗状況が、端末装置に提示されるようにしたことを特徴とするチラシ・カタログ類の作成システム。
【請求項１０】
請求項１〜９のいずれかに記載のチラシ・カタログ類の作成システムとしてコンピュータを機能させるためのプログラム。
【発明の詳細な説明】
【０００１】
【発明の属する技術分野】
本発明は、チラシ・カタログ類の作成システムに関し、特に、複数の担当者による作業を経て作成されるチラシ・カタログ類の作成作業を、ネットワークを介して複数のアプリケーションプログラムを提供することにより実現する作成システムに関する。
【０００２】
【従来の技術】
スーパーマーケットなど、小売販売を目的とする商品流通業では、チラシやカタログの配付が、売上の増加に大幅に寄与する。特に、適切な時期に、適切な商品を掲載したチラシ・カタログを発行することは非常に重要である。このため、チラシ・カタログ類の発行作業には、厳密なスケジュール管理が必要であり、特定のキャンペーンを設定した大売出しなどを企画している場合には、キャンペーンの開催日までに間に合うように、確実にチラシ・カタログの作成作業を進行しなければならない。その反面、チラシ・カタログ類に掲載する商品は多岐にわたっており、最終的な掲載商品や価格などは、発行日直前まで決まらないことも少なくない。このため、従来から、種々のチラシ・カタログ類の作成システムが利用されてきている。
【０００３】
現在、チラシ・カタログ類は、ＤＴＰ（Desk Top Publishing ）の技術を利用して作成されるのが一般的であり、実用上、コンピュータを用いたＤＴＰによるシステムによりチラシ・カタログ類が作成されている。また、インターネットの普及により、複数の作業従事者がネットワーク経由で種々のデータをやりとりし、ＤＴＰを基本としたチラシ・カタログ類の作成を行う手法も提案されている。たとえば、特開平１１−１９５０２３号公報には、商品供給業者、商品流通業者、印刷業者の三者が、インターネットを介して相互に情報のやりとりを行いながら、チラシ・カタログ類の面割作業を行うためのシステムが開示されている。
【０００４】
【発明が解決しようとする課題】
チラシ・カタログ類は、商品の販売を目的として配付される印刷物であり、その作成作業には、印刷物作成を行う技術的なスタッフだけでなく、営業上の企画を行うスタッフ、販売促進を担うスタッフ、商品選別を担うスタッフなど、多数の担当者が参画することになる。したがって、実際のチラシ・カタログ類の作成作業は、多数の担当者が相互に情報交換を行いながら進められることになる。このように多数の担当者が参画して作業を進めるには、前掲公報などに開示されているネットワークを利用したシステムは、非常に好都合である。
【０００５】
しかしながら、１つのチラシ・カタログ類の作成に参画する個々の担当者は、それぞれが自分に割り当てられた作業を個別に実行することになるため、これら個別の作業を相互に調整する必要が生じる。従来提案されている一般的なチラシ・カタログ類の作成システムでは、ネットワークを利用することにより、個々の担当者間でのデータのやりとりなどは適宜行うことができるが、これら複数の担当者による個別作業の連携をとりながら、全体的な作業の進行を円滑に図るという点では、まだ不十分な点が多い。
【０００６】
そこで本発明は、複数の担当者が参画してチラシ・カタログ類の作成を行う際に、全体的な作業を円滑に進行させることが可能なチラシ・カタログ類の作成システムを提供することを目的とする。
【０００７】
【課題を解決するための手段】
(1)   本発明の第１の態様は、複数の担当者による作業を経てチラシ・カタログ類を作成するためのチラシ・カタログ類の作成システムにおいて、
個々の担当者が操作する端末装置から、ネットワークを介したアクセスがあったときに、当該端末装置との間で情報のやりとりを行う交信部と、
チラシ・カタログ類の作成作業に必要な複数のアプリケーションプログラムを格納したアプリケーション格納部と、
アプリケーションプログラムの実行によって作成されるデータを、作業対象となるチラシ・カタログ類ごとに作業データとして格納する作業データ格納部と、
アプリケーション格納部内に格納されている複数のアプリケーションプログラムのうち、個々の担当者ごとにそれぞれ利用可能なアプリケーションプログラムを登録するアプリケーション登録部と、
特定の担当者からのアクセスがあったときに、アプリケーション登録部の登録内容を参照することにより、当該担当者が利用可能なアプリケーションプログラムを示すアプリケーションリストを作成し、当該担当者が操作する端末装置に対して、アプリケーションリストを提示していずれかのアプリケーションプログラムを選択させるアプリケーション選択部と、
特定の担当者からのアクセスがあったときに、作業データ格納部の格納内容を参照することにより、作業対象となりうるチラシ・カタログ類を示す作業対象リストを作成し、当該特定の担当者が操作する端末装置に対して、作業対象リストを提示していずれかの作業対象を選択させる作業対象選択部と、
特定の担当者が、アプリケーション選択部の機能により特定のアプリケーションプログラムを選択し、作業対象選択部の機能により特定の作業対象を選択したときに、選択されたアプリケーションプログラムを起動し、選択された作業対象に対する処理を当該特定の担当者が操作する端末装置と協働して実行し、得られた作業データを、選択された作業対象についての作業データとして作業データ格納部に格納するプログラム実行部と、
を設け、
作業データ格納部が、同一の作業対象について、１つのアプリケーションプログラムの実行によって作成された作業データが、別なアプリケーションプログラムの実行にも利用できるように、同一の作業対象について作成された作業データについて相互に関連をもたせて格納する機能を有し、
第１の担当者が、第１のアプリケーションプログラムを利用して、特定の作業対象となるチラシ・カタログ類についての特定の領域に関する作業を第２の担当者に割り当てる処理を行った場合に、プログラム実行部により、当該割当内容を示す作業データが作業データ格納部に格納されるようにし、
第２の担当者が、自己に割り当てられた作業を行うために第２のアプリケーションプログラムを選択し、これを実行した場合に、第２のアプリケーションプログラムが、割当内容を示す作業データを参照することにより、当該特定の領域に関する作業に必要な処理を選択的に実行する機能を有するようにしたものである。
【０００８】
(2)   本発明の第２の態様は、上述の第１の態様に係るチラシ・カタログ類の作成システムにおいて、
交信部が、端末装置に対してＷｅｂページを表示するためのポータルサイトを構築する機能を有し、個々の担当者がこのポータルサイトへのアクセスを通じて、アプリケーションプログラムの選択、作業対象の選択、選択された作業対象に対する処理の実行を行うことができるようにしたものである。
【００１０】
(3)   本発明の第３の態様は、上述の第１または第２の態様に係るチラシ・カタログ類の作成システムにおいて、
第１の担当者が、第１のアプリケーションプログラムを利用して、特定の作業対象となるチラシ・カタログ類についての作業を第２の担当者に割り当てる処理を行った場合に、プログラム実行部により、当該割当内容を示す作業データが作業データ格納部に格納されるようにし、
第２の担当者が、自己に割り当てられた作業を行うために第２のアプリケーションプログラムを選択した場合に、作業対象選択部が、割当内容を示す作業データを参照することにより、第２の担当者に割り当てられている作業対象のみを抽出した作業対象リストを作成し、これを提示することができるようにしたものである。
【００１２】
(4)   本発明の第４の態様は、上述の第１〜第３の態様に係るチラシ・カタログ類の作成システムにおいて、
アプリケーション格納部に格納するアプリケーションプログラムとして、チラシ・カタログ類の新規企画を行うための新規企画用アプリケーションを用意し、アプリケーション選択部により新規企画用アプリケーションが選択された場合には、作業対象選択部による選択を行うことなしに、プログラム実行部により、新規企画用アプリケーションが起動されるようにしたものである。
【００１３】
(5)   本発明の第５の態様は、上述の第１〜第４の態様に係るチラシ・カタログ類の作成システムにおいて、
アプリケーション格納部に格納するアプリケーションプログラムとして、特定の作業対象となるチラシ・カタログ類についての特定の領域に関する作業を特定の担当者に割り当てる処理を行う領域割当用アプリケーションと、割り当てられた特定の領域に掲載すべき商品を選択する処理を行う商品選択用アプリケーションと、を用意するようにしたものである。
【００１４】
(6)   本発明の第６の態様は、上述の第１〜第５の態様に係るチラシ・カタログ類の作成システムにおいて、
アプリケーション格納部に格納するアプリケーションプログラムとして、ネットワークを介して、特定の商品に関する撮影を依頼するメッセージを送信するための撮影依頼用アプリケーションを用意するようにしたものである。
【００１５】
(7)   本発明の第７の態様は、上述の第１〜第６の態様に係るチラシ・カタログ類の作成システムにおいて、
アプリケーション格納部に格納するアプリケーションプログラムとして、作成されたチラシ・カタログ類のイメージ上に、ＰＯＳデータを入力するためのＰＯＳデータ入力用アプリケーションを用意するようにしたものである。
【００１６】
(8)   本発明の第８の態様は、上述の第１〜第７の態様に係るチラシ・カタログ類の作成システムにおいて、
アプリケーション格納部に格納するアプリケーションプログラムとして、チラシ・カタログ類の作成作業の進捗状況を確認するための進捗確認用アプリケーションを用意するようにしたものである。
【００１７】
(9)   本発明の第９の態様は、上述の第８の態様に係るチラシ・カタログ類の作成システムにおいて、
アプリケーション選択部により進捗確認用アプリケーションが選択された場合には、作業対象選択部により複数の作業対象の選択が可能になるようにし、進捗確認用アプリケーションの実行により、選択された複数の作業対象に係るチラシ・カタログ類の作成作業の進捗状況が、端末装置に提示されるようにしたものである。
【００１８】
(10)  本発明の第１０の態様は、上述の第１〜第９の態様に係るチラシ・カタログ類の作成システムとしてコンピュータを機能させるためのプログラムを用意して配付できるようにしたものである。
【００１９】
【発明の実施の形態】
以下、本発明を図示する実施形態に基づいて説明する。
【００２０】
＜＜＜  §１．本発明に係る作成システムの基本構成  ＞＞＞
図１は、本発明の一実施形態に係るチラシ・カタログ類の作成システム１００の基本構成およびその利用形態を示すブロック図である。ここで、本発明における「チラシ・カタログ類」とは、１つ以上の商品に関する情報が掲載され、当該商品もしくは店舗全体の売り上げの増加を図るための販促媒体を広く意味するものである。この作成システム１００は、複数の担当者による作業を経て、チラシ・カタログ類の作成作業を行うのに適したシステムであり、ネットワークを介して、個々の担当者が操作する端末装置に接続して利用される。図示の例では、４人の担当者Ａ〜Ｄによって操作される端末装置１０〜４０から、インターネットＮを介して、作成システム１００にアクセスできる構成が示されている。本発明では、必ずしもインターネットを用いる必要はなく、ＬＡＮやＷＡＮなどの閉じたネットワークを利用することも可能であるが、実用上は、インターネットＮを利用して任意の端末装置からのアクセスが可能になる環境を構築するのが好ましい。
【００２１】
ここでは便宜上、スーパーマーケットを運営する商品流通業者Ｘが、この作成システム１００を利用して、チラシを作成する作業を行う場合を例にとって、以下の説明を行うことにする。したがって、図１に示す４人の担当者Ａ〜Ｄは、いずれもこの商品流通業者Ｘの社内スタッフである。一方、この実施形態の場合、作成システム１００は、この商品流通業者Ｘから、チラシの作成を請け負う印刷会社が管理するシステムである。すなわち、この印刷会社は、作成システム１００の種々の機能を、インターネットＮを介して、顧客である商品流通業者Ｘに対して利用させるサービスを提供することになる。通常、チラシ・カタログ類の作成を請け負う印刷会社は、顧客である商品流通業者の複数の担当者と打ち合わせを行いながら、各担当者の指示や要望に基づいて、チラシ・カタログ類を作成し、これを印刷する作業を進めてゆくことになる。本発明を利用すれば、印刷会社は、作成システム１００を設置し、これを商品流通業者の複数の担当者に、インターネットＮを介して利用してもらうことにより、チラシ・カタログ類の作成作業を円滑に進めることができるようになる。
【００２２】
なお、図示の実施形態では、作成システム１００を利用したサービスを、商品流通業者Ｘ（担当者Ａ〜Ｄ）に対して提供する例が示されているが、実用上は、より多数の商品流通業者に対して同様のサービスを提供することが可能である。たとえば、商品流通業者ＹやＺの担当者も、それぞれの端末装置からインターネットＮを介して作成システム１００へアクセスすることにより、同様のサービスを利用することができる。後述するように、各担当者が操作する端末装置としては、Ｗｅｂブラウザ機能を備えた一般的なパソコンを用意すれば十分であり、作成システム１００によるサービスは、多数の商品流通業者に広く利用してもらうことが可能である。
【００２３】
作成システム１００の主たる構成要素は、図１に示されているとおり、交信部１１０、アプリケーション格納部１２０、プログラム実行部１３０、作業データ格納部１４０、アプリケーション選択部１５０、アプリケーション登録部１６０、作業対象選択部１７０である。もっとも、ここでは説明の便宜上、作成システム１００をいくつかの機能ブロックの集合として捉えたものであり、実際には、この作成システム１００は、サーバを構成する一群のコンピュータと、それに組み込まれたソフトウエアによって実現される。
【００２４】
交信部１１０は、個々の担当者Ａ〜Ｄが操作する端末装置１０〜４０（パソコン）から、インターネットＮを介したアクセスがあったときに、各端末装置１０〜４０との間で情報のやりとりを行う構成要素である。いわば、作成システム１００のインターネットＮに対する窓口として機能し、作成システム１００内の他の構成要素と各担当者Ａ〜Ｄとの間の情報のやりとりを中継する役割を果たす。
【００２５】
より具体的には、この実施形態の場合、交信部１１０は、Ｗｅｂサーバ装置から構成されており、各端末装置１０〜４０に対してＷｅｂページを表示するためのポータルサイトを構築する機能を有する。たとえば、担当者Ａが、この作成システム１００のサービスを利用する場合、交信部１１０を構成するＷｅｂサーバ装置によって担当者Ａのために設けられた特定のポータルサイトへのアクセスを行えばよい。このポータルサイトでは、担当者ＡのためのＷｅｂページが提示されることになり、担当者Ａは、このＷｅｂページ上で種々の指示を入力することにより、所望の作業を進めてゆくことができる。後述するように、各担当者は、このポータルサイトへのアクセスを通じて、アプリケーションプログラムの選択、作業対象の選択、選択された作業対象に対する処理の実行を行うことができる。
【００２６】
アプリケーション格納部１２０は、チラシ・カタログ類の作成作業に必要な複数のアプリケーションプログラムを格納した構成要素であり、図示の例の場合、６種類のアプリケーションプログラムＡＰ１〜ＡＰ６が格納された状態が示されている。ここに示す実施形態では、アプリケーション格納部１２０内に格納されている６種類のアプリケーションＡＰ１〜ＡＰ６は、図２に示すようなアプリケーションである。これらのアプリケーションは、それぞれ異なる機能を有しているが、いずれもチラシ・カタログ類の作成作業に利用されるアプリケーションである。具体的には、図２に示す例におけるＡＰ１は、チラシ・カタログ類の新規企画を行うためのアプリケーション、ＡＰ２は、チラシ・カタログ類の版面に領域割当を行うためのアプリケーション、ＡＰ３は、チラシ・カタログ類に掲載する商品を選択するためのアプリケーション、ＡＰ４は、商品の撮影を写真スタジオなどに依頼する作業を行うアプリケーション、ＡＰ５は、チラシの版面上にＰＯＳデータを入力するためのアプリケーション、ＡＰ６は、作業の進捗状況を確認するアプリケーションである。これら各アプリケーションの具体的な機能については後述する。
【００２７】
プログラム実行部１３０は、アプリケーション格納部１２０内に格納されているアプリケーションプログラムを実行するための構成要素である。本発明では、アプリケーションプログラムは、特定の担当者が操作する端末装置と協働して実行される。すなわち、プログラム実行部１３０で実行されているアプリケーションプログラムに対する種々の入力操作は、インターネットＮを介してアクセスしてきた担当者が自己の端末装置を用いて行うことになり、実行結果は、当該端末装置のディスプレイ画面上に表示されることになる。別言すれば、プログラム実行部１３０は、ＡＳＰ（Application Service Provider）としての機能を果たす構成要素ということになる。
【００２８】
前述したように、各担当者が操作する端末装置１０〜４０は、Ｗｅｂブラウザ機能を有する汎用のパソコンであり、各端末装置１０〜４０内では、アプリケーションプログラムが直接実行されるわけではない。アプリケーション格納部１２０内に格納されているアプリケーションプログラムは、あくまでも作成システム１００側のプログラム実行部１３０において実行される。ただ、必要に応じて、端末装置側には、Ｗｅｂブラウザ上で実行可能な小プログラムが送信され、この小プログラムを端末装置側で実行させることにより、端末装置とプログラム実行部１３０との協働作業が実現される。このようなＡＳＰとしての基本機能を果たすための技術は既に公知の技術であるため、ここでは詳しい説明は省略する。また、前述したように、交信部１１０は、Ｗｅｂサーバ装置として、Ｗｅｂページのデータを各端末装置へ送信する働きをするが、このようなＷｅｂページ上で、各担当者が入力した指示やデータを、プログラム実行部１３０へ仲介するための技術としては、たとえば、ＣＧＩ（Common Gateway Interface）などの公知の技術を利用することができる。
【００２９】
作業データ格納部１４０は、プログラム実行部１３０におけるアプリケーションプログラムの実行によって作成されるデータを、作業対象となるチラシ・カタログごとに作業データとして格納する構成要素である。図１に示す例では、４種類の作業データＤＴ１〜ＤＴ４が格納されている。図３は、この４種類の作業データＤＴ１〜ＤＴ４の具体例を示す。この例では、４種類の作業データＤＴ１〜ＤＴ４は、いずれも特定の日に折り込む予定または配付する予定のチラシについての作業データである。たとえば、作業データＤＴ１は、２００２年２月１０日に折り込む予定の東京地区版のチラシに関する作業データである。この作業データは、アプリケーション格納部１２０内に格納されている６種類のアプリケーションＡＰ１〜ＡＰ６を実行することにより作成もしくは更新されることになる。
【００３０】
通常、１つのアプリケーションは、その実行により独立したデータファイルを作成することになるので、作業データ格納部１４０内に格納される個々の作業データＤＴ１〜ＤＴ４は、いずれも複数のファイル群によって構成されることになる。たとえば、作業データＤＴ１は、アプリケーションＡＰ１で作成されたファイル、アプリケーションＡＰ２で作成されたファイル、アプリケーションＡＰ３で作成されたファイル、……などの集合によって構成されているが、これらのファイルは、いずれも２００２年２月１０日に折り込む予定の東京地区版のチラシに関するデータファイルという点で共通する。もっとも、各アプリケーションＡＰ１〜ＡＰ６が、単一の共通データファイルを共用することができるように設計されたプログラムである場合には、作業データＤＴ１を単一のデータファイルとして構成することも可能である。データファイルの内容は、データベースの中にまとめて格納され、必要に応じて必要な情報が取り出される。
【００３１】
アプリケーション登録部１６０は、アプリケーション格納部１２０内に格納されている複数のアプリケーションプログラムＡＰ１〜ＡＰ６のうち、個々の担当者ごとにそれぞれ利用可能なアプリケーションプログラムを登録する機能をもった構成要素である。たとえば、図１に示すように、４人の担当者Ａ〜Ｄに対して、作成システム１００のサービスを提供する場合であれば、予め、この４人の担当者について、図４の表に示すような内容を登録しておけばよい。この表は、４人の担当者Ａ〜ＤのそれぞれについてのＩＤコードおよびパスワードとともに、アプリケーションＡＰ１〜ＡＰ６の利用の可否を示す表になっている。たとえば、表の第１行目は、担当者Ａに関する登録内容を示しており、担当者ＡのＩＤコードが「ＡＡＡ」であり、パスワードが「＊＊＊＊＊＊（実際には、何らかのコードが入れられる）」であり、アプリケーションＡＰ１，ＡＰ２，ＡＰ６は利用可能、アプリケーションＡＰ３，ＡＰ４，ＡＰ５は利用不能であることが示されている（表の○は利用可能、×は利用不能を示す）。担当者Ｂ〜Ｄについても、同様に、この表の第２〜４行目に登録がなされている。
【００３２】
アプリケーション登録部１６０に対するこのような登録は、作成システム１００を管理する印刷会社のスタッフによって予め行っておけばよい。具体的には、商品流通業者Ｘの各担当者と打ち合わせを行うことにより、どの担当者にどのアプリケーションを利用させるかを決定し、この決定内容をアプリケーション登録部１６０に登録する作業を行うことになる。なお、このような登録作業は、インターネットＮに接続されている別な端末装置（図示されていない）によって行うことが可能である。
【００３３】
アプリケーション選択部１５０は、特定の担当者からのアクセスがあったときに、アプリケーション登録部１６０の登録内容を参照することにより、当該担当者が利用可能なアプリケーションプログラムを示すアプリケーションリストを作成し、当該担当者が操作する端末装置に対して、アプリケーションリストを提示していずれかのアプリケーションプログラムを選択させる機能を果たす。たとえば、担当者Ａからのアクセスがあった場合に、図４に示すような内容の登録が行われていたとすると、担当者Ａが利用可能なアプリケーションはＡＰ１，ＡＰ２，ＡＰ６であることが認識できるので、アプリケーション選択部１５０は、この３種類のアプリケーションを示すアプリケーションリストを作成し、これを端末装置１０へ提示し、担当者Ａに、この中のいずれか１つのアプリケーションを選択させる処理を行うことになる。なお、このようなリストの提示やアプリケーションの選択処理は、交信部１１０から提供されるポータルサイト上のＷｅｂページを利用して行われる。
【００３４】
作業対象選択部１７０は、特定の担当者からのアクセスがあったときに、作業データ格納部１４０の格納内容を参照することにより、作業対象となりうるチラシ・カタログを示す作業対象リストを作成し、当該特定の担当者が操作する端末装置に対して、作業対象リストを提示していずれかの作業対象を選択させる機能を果たす。たとえば、担当者Ａからのアクセスがあった場合に、作業データ格納部１４０内に、図３に示すような４種類の作業データＤＴ１〜ＤＴ４が格納されていた場合、作業対象選択部１７０は、この４種類の作業データの内容を示す作業対象リストを作成し、これを端末装置１０へ提示し、担当者Ａに、この中のいずれか１つの作業対象を選択させる処理を行うことになる。なお、このようなリストの提示や作業対象の選択処理も、交信部１１０から提供されるポータルサイト上のＷｅｂページを利用して行われる。
【００３５】
プログラム実行部１３０は、前述したように、アプリケーション格納部１２０に格納されているアプリケーションプログラムを実行する機能を有するが、実行対象となるアプリケーションは、アプリケーション選択部１５０による選択により決定される。また、アプリケーション実行時の作業対象となるデータは、作業対象選択部１７０による選択により決定される。すなわち、特定の担当者が、アプリケーション選択部１６０の機能により特定のアプリケーションプログラムを選択し、作業対象選択部１７０の機能により特定の作業対象を選択した場合に、プログラム実行部１３０は、選択されたアプリケーションプログラムを起動し、選択された作業対象に対する処理を当該特定の担当者が操作する端末装置と協働して実行し、得られた作業データを、選択された作業対象についての作業データとして作業データ格納部１４０に格納する処理を行うことになる。
【００３６】
＜＜＜  §２．本発明に係る作成システムの具体的な利用手順  ＞＞＞
続いて、図１に示す作成システム１００を利用する具体的な手順について説明する。図５は、この利用手順を示す流れ図である。まず、担当者は、ステップＳ１において、端末装置から交信部１１０が提供するポータルサイトへアクセスし（Ｗｅｂブラウザを用いて所定のＵＲＬへアクセスすればよい）、必要なデータを入力して、このポータルサイトへログインする。たとえば、担当者Ａがアクセスした場合、ＩＤコード「ＡＡＡ」およびパスワード「＊＊＊＊＊＊」を入力することにより、ポータルサイトへのログインが完了する。ここに示す実施形態の場合、各担当者のＩＤコードおよびパスワードは、図４に示すようにアプリケーション登録部１６０に登録されているので、交信部１１０は、この登録内容を参照して、担当者Ａを認識し、ログインを許可することになる。
【００３７】
ログインに成功した担当者Ａは、続くステップＳ２において、アプリケーションの選択を行う。すなわち、前述したアプリケーション選択部１５０の機能により、担当者Ａが利用可能なアプリケーションプログラムを示すアプリケーションリストが作成され、端末装置のディスプレイ画面に提示される。図６は、担当者Ａが操作する端末装置１０のディスプレイ画面に提示されるアプリケーションリストをメニューの形式で提示した一例を示す図である。図４に示すアプリケーション登録部１６０の登録内容によれば、担当者Ａは、図２に示す６種類のアプリケーションのうち、アプリケーションＡＰ１，ＡＰ２，ＡＰ６を利用することができる。図６に示すリストは、これら３つのアプリケーションのうちのいずれか１つを選択させるためのメニューとなっている。担当者Ａは、このメニューに示された３つのアプリケーションのうちの１つをマウスクリックするなどして、１つのアプリケーションを選択することになる。
【００３８】
このアプリケーションを選択するためのメニューは、当然、アクセスした担当者ごとに異なる。たとえば、担当者Ｂがアクセスを行った場合には、図４に示す登録内容により、アプリケーションＡＰ３，ＡＰ４，ＡＰ６を利用することができることが認識できるので、この３つのアプリケーションを示すアプリケーションリストが、図７に示すようなメニューの形式で提示されることになる。このように、作成システム１００は、各担当者Ａ〜Ｄに対してＡＳＰとして、種々のアプリケーションプログラムを利用させるサービスを行うことになるが、アプリケーション登録部１６０の登録内容に応じて、各担当者ごとに異なるアプリケーションの提供が行われることになる。
【００３９】
続いて、ステップＳ３において、作業対象の選択を行う。すなわち、前述した作業対象選択部１７０の機能により、作業データ格納部１４０の格納内容が参照され、作業対象となりうるチラシ・カタログを示す作業対象リストが作成され、アクセスを行った担当者Ａが操作する端末装置１０に対して、作業対象リストの提示が行われる。図８は、担当者Ａが操作する端末装置１０のディスプレイ画面に提示される作業対象リストをメニューの形式で提示した一例を示す図である。担当者Ａは、このメニューに示された４つの作業対象のうちの１つをマウスクリックするなどして、１つの作業対象を選択することになる。
【００４０】
こうして、アプリケーションと作業対象とがそれぞれ選択されたら、ステップＳ４において、作業の実行が行われる。すなわち、プログラム実行部１３０が、ステップＳ２で選択されたアプリケーションプログラムを起動し、ステップＳ３で選択された作業対象に対する処理を、アクセスを行ってきた担当者Ａが操作する端末装置１０と協働して実行し（入力操作を端末装置１０を用いて行うことにより実行し）、得られた作業データを、選択された作業対象についての作業データとして作業データ格納部１４０に格納する処理を行うことになる。
【００４１】
ステップＳ４における作業が完了したら、ステップＳ５において、別な作業を行うか否かが判断される。更に、別な作業を続けて実行する場合には、ステップＳ２へと戻り、新たに実行するアプリケーションの選択が行われる。一方、これで作業を終える場合には、ステップＳ５からステップＳ６へ進み、ポータルサイトからのログオフを行い、作業を完了する。
【００４２】
＜＜＜  §３．アプリケーションの具体例  ＞＞＞
ここでは、アプリケーション格納部１２０内に格納されるアプリケーションプログラムの具体例を説明する。この実施形態の場合、図２に示すように、合計６種類のアプリケーションＡＰ１〜ＡＰ６が用意されている。以下、これらのアプリケーションの内容を簡単に説明する。
【００４３】
まず、新規企画用アプリケーションＡＰ１は、チラシ・カタログ類の作成を新規企画する場合に利用するアプリケーションであり、たとえば、新規に発行するチラシについて、大きさ、色数、部数、発行日などを設定する機能を有する。図４に示すアプリケーション登録部１６０の登録内容には、担当者Ａ（ＩＤコード「ＡＡＡ」）のみが、このアプリケーションＡＰ１を利用可能とする設定が行われているが、これは本実施形態の場合、販促部に所属する担当者Ａが新規企画を行う権限をもっているためである。図３に示す例では、４種類のチラシが作業対象として列挙されているが、これらの作業対象は、いずれも新規企画用アプリケーションＡＰ１によって企画されたチラシである。
【００４４】
なお、この新規企画用アプリケーションＡＰ１の起動時には、まだ作業対象となるデータは存在していないので、アプリケーション選択部１５０により新規企画用アプリケーションＡＰ１が選択された場合には、作業対象選択部１７０による選択を行うことなしに、プログラム実行部１３０により、新規企画用アプリケーションＡＰ１が起動されることになる。したがって、図５に示す流れ図のステップＳ２において新規企画用アプリケーションＡＰ１が選択されたときには、ステップＳ３における作業対象の選択プロセスは省略される。たとえば、図３に示すように、現在、４種類の作業対象となるチラシが存在する場合に、第５番目の作業対象となるチラシを新規企画する場合には、担当者Ａは、新規企画用アプリケーションＡＰ１を選択して起動させ、このアプリケーション上で、当該新たなチラシについて、大きさ、色数、部数、発行日などを設定する作業を行う。そして、その作業結果は、新たな作業データＤＴ５として、作業データ格納部１４０に格納されることになる。以後は、この作業データＤＴ５を、作業対象として選択することが可能になる。
【００４５】
一方、領域割当用アプリケーションＡＰ２は、特定の作業対象となるチラシ・カタログについての特定の領域に関する作業を特定の担当者に割り当てる処理を行うアプリケーションであり、商品選択用アプリケーションＡＰ３は、割り当てられた特定の領域に掲載すべき商品を選択する処理を行うアプリケーションである。本実施形態のシステムでは、これら２つのアプリケーションの連携により、円滑なチラシ作成作業が進行することになる。図４に示すアプリケーション登録部１６０の登録内容によれば、領域割当用アプリケーションＡＰ２は、販促部に所属する担当者Ａによって利用され、商品選択用アプリケーションＡＰ３は、商品部に所属する担当者Ｂによって利用されるようになっている。
【００４６】
図９は、領域割当用アプリケーションＡＰ２の作業内容を示す概念図である。このアプリケーションは、チラシ・カタログの版面上に複数の領域を定義し、個々の領域ごとに、特定の担当者を割り当てる処理を行う。図示の例では、更に、個々の領域ごとに掲載する商品のジャンルおよび商品点数を決定する処理を行うことができる。具体的には、図９に示す例の場合、１枚のチラシの構成面が４つの領域ａ１〜ａ４に分割されており、領域ａ１には、「タイトル」を表示し、その詳細については担当者Ｅに割り当て、領域ａ２には、「スキー用品」なるジャンルの商品を５点掲載し、その詳細については同じ担当者Ｅに割り当て、領域ａ３には、「キャンプ用品」なるジャンルの商品を３点掲載し、その詳細については担当者Ｆに割り当て、領域ａ４には、「カー用品」なるジャンルの商品を３点掲載し、その詳細については担当者Ｂに割り当てる旨の決定が行われている。このような割当処理を実行する販促部の担当者Ａは、端末装置１０上に表示されるチラシ構成面の画像を見ながら、任意の領域設定を行い、個々の領域ごとに、上述のような情報を入力する作業を行うことになる。こうして入力された種々の情報は、領域割当用アプリケーションＡＰ２によって作成された作業データとして、作業データ格納部１４０内に格納されることになる。なお、この例のように、担当者Ｅ，Ｆについての割り当てを行う場合には、図４に示すアプリケーション登録部１６０に、担当者Ｅ，Ｆについての登録（少なくともＡＰ３を利用可能とする登録）を行っておく必要がある。
【００４７】
一方、図１０は、担当者Ｂが、商品選択用アプリケーションＡＰ３を起動したときの作業画面の一例を示す図である。図９に示す割り当てにより、担当者Ｂには、このチラシの領域ａ４「カー用品」が割り当てられている。担当者Ｂが、商品選択用アプリケーションＡＰ３を起動し、当該チラシを作業対象として選択した場合に、図１０に示すような作業画面が表示されれば、自分の担当の領域が、右下部分の領域ａ４（図においてハッチングが施されていない領域）であることを容易に認識することができ、また、この領域に、カー用品を３点掲載すべきことが認識できる。この場合、商品選択用アプリケーションＡＰ３は、領域ａ４に関する作業に必要な処理を選択的に実行すればよく、領域ａ１，ａ２，ａ３に関する作業を実行する必要はない。図１０に示す例では、無関係な領域についてはハッチングが施され、別な担当者の領域に関して作業を進めるような誤操作が防止されるようになっている。
【００４８】
商品選択用アプリケーションＡＰ３は、インターネットＮを介して、あるいは、所定の商品データベースをアクセスして、所望の商品を検索し、検索された商品に関する種々の情報（商品名、ＰＯＳ番号、商品説明、卸値、売値など）を集める機能を有している。この例の場合、商品部の担当者Ｂは、商品選択用アプリケーションＡＰ３の機能を利用して、カー用品のジャンルに属する商品を検索し、チラシに掲載すべき３点を選定する。選定された３点の商品に関する種々の情報は、この商品選択用アプリケーションＡＰ３が作成する作業データ内に組み込まれ、作業データ格納部１４０内に格納される。図１１は、担当者Ｂによって選定された３点の商品についての種々の情報の一例を示す図である。図示の例では、個々の商品に固有の商品情報とともに、各商品についての発注数も担当者Ｂによって入力されている。
【００４９】
なお、商品選択用アプリケーションＡＰ３には、必要に応じて、個々の商品に関する情報を所定領域内に割り付ける処理を行う機能をもたせるようにしてもよい。この場合、担当者Ｂは、商品の選定のみならず、自己に割り当てられた領域ａ４内に、選定した商品に関する商品情報を割り付ける作業も行うことになる。一般的には、このような商品情報の割付作業は、専門のデザイナに依頼することになるが、その場合は、商品選択用アプリケーションＡＰ３の機能の一部として、インターネットＮを経由して外部のデザイナに対して依頼手続を行うような処理機能をもたせるようにしてもよい。もちろん、商品情報を割り付けるための専用のアプリケーションプログラムを、アプリケーション格納部１２０内に用意しておき、外部のデザイナに、インターネットＮ経由で、このようなアプリケーションプログラムを利用させ、商品情報の割付作業を行ってもらうようにしてもよい。
【００５０】
いずれにしても、本発明に係る作成システムでは、同一の作業対象について、１つのアプリケーションプログラムの実行によって作成された作業データが、別なアプリケーションプログラムの実行にも利用できるように、同一の作業対象について作成された作業データが相互に関連をもって作業データ格納部１４０に格納されるように構成されている。たとえば、上述の例の場合、販促部の担当者Ａが、領域割当用アプリケーションＡＰ２を実行することにより、図９に示すような割り当てを示すデータが、たとえば、作業データＤＴ１として作業データ格納部１４０内に格納されることになる。続いて、商品部の担当者Ｂが、商品選択用アプリケーションＡＰ３と作業データＤＴ１とを選択して作業を開始すると、アプリケーションＡＰ３は、アプリケーションＡＰ２によって作成された作業データＤＴ１内の情報を参照することにより、担当者Ｂに対する割り当て内容を認識し、図１０に示すような作業画面の提示を行うことができる。
【００５１】
このように、作業データＤＴ１は、「２００２年２月１０日折込  東京地区版」という特定の作業対象となるチラシに関するデータ群（ファイル群）から構成されており、複数の異なるアプリケーションプログラムによって作成されたデータ（ファイル）が混在するものであるが、６種類のアプリケーションプログラムＡＰ１〜ＡＰ６は、必要に応じて、別なアプリケーションプログラムによって作成された部分を利用した連携動作が可能になるように構成されている。
【００５２】
なお、このような連携動作を利用して、作業対象選択部１７０によって提示される作業対象リストを、個々の担当者ごとに変えるようにすることも可能である。たとえば、作業データ格納部１４０内に、図３に示すような４種類の作業対象に関する作業データＤＴ１〜ＤＴ４が格納されている場合を考えよう。このうち、作業データＤＴ１（２００２年２月１０日折込  東京地区版）と、ＤＴ３（２００２年２月１７日折込  全国版）とについては、その一部の領域が、担当者Ｂに割り当てられているものの、その他の作業対象については、担当者Ｂに割り当てられた領域が全くなかったとしよう。このような場合、担当者Ｂが、商品選択用アプリケーションＡＰ３を用いて作業を行う対象となり得るのは、作業データＤＴ１とＤＴ３だけである。そこで、担当者Ｂからのアクセスにより、商品選択用アプリケーションＡＰ３が選択された場合は、作業対象選択部１７０は、作業データ格納部１４０内の作業データを参照することにより、担当者Ｂに割り当てられている作業対象ＤＴ１，ＤＴ３のみを抽出した作業対象リストを作成し、これを提示するようにすればよい。
【００５３】
撮影依頼用アプリケーションＡＰ４は、ネットワークを介して、特定の商品に関する撮影を依頼するメッセージを送信するためのアプリケーションである。図４に示すアプリケーション登録部１６０の登録内容によれば、撮影依頼用アプリケーションＡＰ４は、商品部に所属する担当者ＢおよびＣによって利用されるようになっている。この実施形態の場合、商品部に所属する担当者Ｃは、担当者Ｂの作業を補佐するアシスタントの役割が与えられた担当者であり、撮影依頼用アプリケーションＡＰ４の利用のみが可能となっている。別言すれば、図４に示す登録内容は、撮影依頼用アプリケーションＡＰ４の主たる利用者は、商品部のアシスタントである担当者Ｃという設定に基づくものである。
【００５４】
担当者Ｃが、この撮影依頼用アプリケーションＡＰ４を選択し、所定の作業対象（たとえば、作業データＤＴ１）を選択すると、図１２(a) に示すような撮影依頼書および図１２(b) に示すような商品送付依頼書が、端末装置３０のディスプレイ画面上に表示される。ここで、撮影依頼書は、外部の写真スタジオなどに対して、チラシ掲載用の商品写真の撮影を依頼するための標準フォーマット書類であり、担当者Ｃは、ディスプレイ画面上で、この標準フォーマット書類の空欄部に、所定の情報を入力する作業を行い電子署名を行う。商品写真によっては、複数の商品を同一写真内に収めるような撮影が必要な場合もあるが、そのような細かな指示は、コメント欄に記載するようにすればよい。また、商品送付依頼書は、商品メーカなどに対して、写真撮影用の見本商品の送付を依頼するための標準フォーマット書類であり、担当者Ｃは、ディスプレイ画面上で、この標準フォーマット書類の空欄部に、所定の情報を入力する作業を行い電子署名を行う。送付先として、撮影依頼を行った写真スタジオなどの住所を入力しておけば、商品メーカから写真スタジオに、見本商品を直送してもらうことができる。
【００５５】
これらの書類は、実際には、ＨＴＭＬあるいはＸＭＬなどのフォーマットで記述されており、担当者Ｃが実際に情報入力を行った後の撮影依頼書および商品送付依頼書は、たとえば、図１３(a) ，(b) に示すような文字列データになる。撮影依頼用アプリケーションＡＰ４は、担当者Ｃに所定の情報入力を行わせて、図１３(a) ，(b) に示すような文字列データを作成した後、図１３(a) に示す撮影依頼書を構成する文字データを、写真スタジオの担当者宛に配信し、図１３(b) に示す商品送付依頼書を構成する文字データを、商品メーカの担当者宛に配信する処理を行う。これらの書類の配信は、たとえば、電子メールを利用して行うこともできるが、写真スタジオの担当者や商品メーカの担当者にも、図１に示す担当者Ａ〜Ｄと同様に交信部１１０によるポータルサイトの提供を行うようにし、このポータルサイト経由でＷｅｂページとして提供するようにしてもかまわない。
【００５６】
ＰＯＳデータ入力用アプリケーションＡＰ５は、作成されたチラシ・カタログのイメージ上に、ＰＯＳデータを入力するためのアプリケーションであり、この実施形態の場合、商品流通業者Ｘが経営するスーパーマーケットの店舗の担当者Ｄによって利用されることになる。上述したように、たとえば、「２００２年２月１０日折込  東京地区版」なるチラシは、複数の担当者が複数のアプリケーションプログラムを利用して作成作業を行うことになり、その成果は、作業データ格納部１４０内の作業データＤＴ１として格納されることになる。このＤＴ１内のデータに基いて、たとえば、図１４に示すようなチラシを印刷することが可能になり、また、このようなチラシの画像を、ディスプレイ画面上に表示させることも可能である。
【００５７】
一方、担当者Ｄの受け持ちである店舗には、毎日、当該店舗の売上情報を示すＰＯＳデータが収集されている。ＰＯＳデータ入力用アプリケーションＡＰ５は、図１４に示すようなチラシのイメージ上に、ＰＯＳデータを入力して表示する機能を有している。たとえば、２００２年２月１０日の営業が終了した後、当日の店舗におけるＰＯＳデータを収集すれば、この日に折込みを行った図１４に示すようなチラシに掲載された各商品について、当該店舗における販売個数を把握することができる。担当者Ｄは、アプリケーションＡＰ５および作業データＤＴ１を選択することにより、端末装置４０から、ＰＯＳデータの入力を行うことができ、更に、チラシのイメージ上に、個々の商品の販売個数を表示させて分析を行うようなことが可能になる。たとえば、ディスプレイ画面上に、図１４に示すようなチラシのイメージをそのまま表示した上で、各商品の割付箇所に、当該商品の当日の販売個数を示す数字を重畳して表示させるようにすれば、チラシのどの位置に掲載した場合に商品の売上が増加するか、といった分析が可能になる。
【００５８】
進捗確認用アプリケーションＡＰ６は、チラシ・カタログ類の作成作業の進捗状況を確認するためのアプリケーションである。図４に示すアプリケーション登録部１６０の登録内容によれば、進捗確認用アプリケーションＡＰ６は、担当者Ａ，Ｂ，Ｄによって利用されるようになっており、これらの担当者は、常に進捗状況の確認を行うことができる。ここに示す実施形態では、アプリケーション選択部１５０により進捗確認用アプリケーションが選択された場合には、作業対象選択部１７０により複数の作業対象の選択が可能になるようにし、進捗確認用アプリケーションＡＰ６の実行により、選択された複数の作業対象に係るチラシ・カタログの作成作業の進捗状況が、端末装置上のディスプレイ画面に、一覧表として提示されるようにしてある。
【００５９】
たとえば、図８に示すような作業対象選択メニューにおいて、すべての作業対象を選択した場合、４つの作業対象のすべてについて、作業の進捗状況を示す表が提示されることになる。具体的な提示内容としては、個々の作業対象ごとに、領域割当、商品選択、撮影依頼などのプロセスの進行状況を提示するようにすればよい。もちろん、作業対象選択メニューにおいて、自己が担当する作業対象のみが表示されるようにし、自己の担当とは無関係な作業対象については、進捗確認ができないように設定することも可能である。
【００６０】
以上、本発明を図示する実施形態に基いて説明したが、本発明は、上述の実施形態に限定されるものではなく、この他にも種々の態様で実施可能である。特に、図２に示した６種類のアプリケーションソフトＡＰ１〜ＡＰ６は、本発明に利用可能なアプリケーションのいくつかの例を示したものであり、アプリケーション格納部１２０内には、この他にも種々のアプリケーションプログラムを用意しておくことが可能である。たとえば、予め、個々の作業を行う予定日を設定し、スケジュールの管理を行うことができるアプリケーションを用意することもできる。また、衣類の上下を１セットとして販売するような場合には、複数の商品をセット商品として登録するような作業を行うアプリケーションを別個に用意することもできる。あるいは、過去に作成したチラシ・カタログ類に関する種々の情報を閲覧するためのアプリケーションや、種々の記念日の一覧情報をもったカレンダーを表示するためのアプリケーションなども利用価値が高い。
【００６１】
また、作成システム１００を利用可能な担当者は、必ずしもチラシ・カタログ類の作成に関連した者に限らない。たとえば、商品を供給するメーカの担当者にも、作成システム１００を利用できるように開放し、このメーカの担当者に利用してもらうために、新製品を紹介するためのアプリケーションや、商品の売り込みキャンペーンを行うためのアプリケーションを用意するようなことも可能である。
【００６２】
【発明の効果】
以上のとおり、本発明に係るチラシ・カタログ類の作成システムによれば、複数の担当者が参画してチラシ・カタログ類の作成を行う際に、全体的な作業を円滑に進行させることが可能になる。
【図面の簡単な説明】
【図１】本発明の一実施形態に係るチラシ・カタログ類の作成システム１００の基本構成およびその利用形態を示すブロック図である。
【図２】図１に示す作成システム１００におけるアプリケーション格納部１２０内に格納されている６種類のアプリケーションＡＰ１〜ＡＰ６の一例を示す図である。
【図３】図１に示す作成システム１００における作業データ格納部１４０内に格納されている４種類の作業データＤＴ１〜ＤＴ４の一例を示す図である。
【図４】図１に示す作成システム１００におけるアプリケーション登録部１６０の登録内容の一例を示す図である。
【図５】図１に示す作成システム１００を利用する具体的な手順を示す流れ図である。
【図６】図５に示す流れ図におけるステップＳ２において、担当者Ａの端末装置に表示されるアプリケーション選択画面の一例を示す図である。
【図７】図５に示す流れ図におけるステップＳ２において、担当者Ｂの端末装置に表示されるアプリケーション選択画面の一例を示す図である。
【図８】図５に示す流れ図におけるステップＳ３において、各担当者の端末装置に表示される作業対象選択画面の一例を示す図である。
【図９】図２に示す領域割当用アプリケーションＡＰ２の作業画面の一例を示す図である。
【図１０】図２に示す商品選択用アプリケーションＡＰ３の作業画面の一例を示す図である。
【図１１】図２に示す商品選択用アプリケーションＡＰ３によって作成される作業データの一例を示す図である。
【図１２】図２に示す撮影依頼用アプリケーションＡＰ４によって表示される標準フォーマット書類の一例を示す図である。
【図１３】図１２の標準フォーマット書類に必要な情報入力を行うことにより作成されるデータの一例を示す図である。
【図１４】図９に示す領域割当に基いて作成されたチラシの版面画像を示す図である。
【符号の説明】
１０〜４０…端末装置（パソコン）
１００…チラシ・カタログ類の作成システム
１１０…交信部
１２０…アプリケーション格納部
１３０…プログラム実行部
１４０…作業データ格納部
１５０…アプリケーション選択部
１６０…アプリケーション登録部
１７０…作業対象選択部
Ｎ…インターネット
ＡＰ１〜ＡＰ６…アプリケーションプログラム
ａ１〜ａ４…チラシ版面上に設定された領域
ＤＴ１〜ＤＴ４…作業データ
【図１】
0003908567.tif 000002
【図２】
0003908567.tif 000003
【図３】
0003908567.tif 000004
【図４】
0003908567.tif 000005
【図５】
0003908567.tif 000006
【図６】
0003908567.tif 000007
【図７】
0003908567.tif 000008
【図８】
0003908567.tif 000009
【図９】
0003908567.tif 000010
【図１０】
0003908567.tif 000011
【図１１】
0003908567.tif 000012
【図１２】
0003908567.tif 000013
【図１３】
0003908567.tif 000014
【図１４】
0003908567.tif 000015